(57)【要約】      （修正有）【課題】ユーザが携帯しやすく、ユーザの異なるシーンでの使用上の要求を満たす多機能エネルギー貯蔵電源ボックスを提供する。【解決手段】多機能エネルギー貯蔵電源ボックスは、エネルギー貯蔵ボックス１、エネルギー貯蔵電源２、ポータブル電源３及び係止構造４を含み、ポータブル電源を収納するための収納室１１が設けられるエネルギー貯蔵ボックス内にエネルギー貯蔵電源が設けられ、ポータブル電源が収納室に収納される場合、係止構造がポータブル電源を収納室内に係止し、かつポータブル電源がエネルギー貯蔵電源に電気的に接続されて、エネルギー貯蔵電源によりポータブル電源が充電される。在宅中はエネルギー貯蔵電源を使用して携帯端末装置を充電し、ポータブル電源を収納室内に係止して充電させ、エネルギー貯蔵電源ボックスが携帯に不便である場合、収納室から取り出したポータブル電源を使用して携帯端末装置を充電する。【選択図】図２
0003233513.tif 000002
【実用新案登録請求の範囲】
【請求項１】
エネルギー貯蔵ボックス（１）、エネルギー貯蔵電源（２）、ポータブル電源（３）及び係止構造（４）を含み、前記ポータブル電源（３）を収納するための収納室（１１）が設けられる前記エネルギー貯蔵ボックス（１）内に前記エネルギー貯蔵電源（２）が設けられ、前記ポータブル電源（３）が前記収納室（１１）に収納される場合、前記係止構造（４）が前記ポータブル電源（３）を前記収納室（１１）内に係止し、かつ前記ポータブル電源（３）が前記エネルギー貯蔵電源（２）に電気的に接続されて、前記エネルギー貯蔵電源（２）に前記ポータブル電源（３）を充電させる、ことを特徴とする多機能エネルギー貯蔵電源ボックス。
【請求項２】
前記ポータブル電源（３）には、自動車の点火に用いられる第１の電源出力端子（３１）がさらに設けられていることを特徴とする、請求項１に記載の多機能エネルギー貯蔵電源ボックス。
【請求項３】
前記ポータブル電源（３）には、第１のＵＳＢインタフェースコネクタ（３２）がさらに設けられていることを特徴とする、請求項１に記載の多機能エネルギー貯蔵電源ボックス。
【請求項４】
前記ポータブル電源（３）には、第１のＴｙｐｅ  Ｃインタフェースコネクタ（３３）がさらに設けられていることを特徴とする、請求項１に記載の多機能エネルギー貯蔵電源ボックス。
【請求項５】
前記収納室（１１）に第１のストッパ縁（１１１）が設けられ、前記ポータブル電源（３）に第２のストッパ縁（３４）が設けられ、前記ポータブル電源（３）が前記収納室（１１）内に取り外し可能に設けられる場合、前記第１のストッパ縁（１１１）が前記第２のストッパ縁（３４）に当接することにより、前記第１のストッパ縁（１１１）が前記第２のストッパ縁（３４）を前記収納室（１１）内に止めることを特徴とする、請求項１に記載の多機能エネルギー貯蔵電源ボックス。
【請求項６】
前記収納室に凹溝（１２）が設けられ、前記ポータブル電源（３）にバンプ（３５）が設けられ、前記ポータブル電源（３）が前記収納室（１１）内に取り外し可能に設けられる場合、前記バンプ（３５）が前記凹溝（１２）内に収納され得ることを特徴とする、請求項５に記載の多機能エネルギー貯蔵電源ボックス。
【請求項７】
前記第１のストッパ縁（１１１）が前記凹溝（１２）に設けられ、前記第２のストッパ縁（３４）が前記バンプ（３５）に設けられ、前記バンプ（３５）が前記凹溝（１２）内に収納される場合、前記第１のストッパ縁（１１１）が前記第２のストッパ縁（３４）を前記収納室（１１）内に止めることを特徴とする、請求項６に記載の多機能エネルギー貯蔵電源ボックス。
【請求項８】
前記エネルギー貯蔵電源（２）に電源出力用バネ片（２１）が設けられ、前記ポータブル電源（３）に電源入力用バネ片（３６）が設けられ、前記ポータブル電源（３）が前記収納室（１１）内に取り外し可能に設けられ、かつ前記係止構造（４）が前記ポータブル電源（３）を前記収納室（１１）内に係止解除可能に係止する場合、前記電源出力用バネ片（２１）が前記電源入力用バネ片（３６）に電気的に接続されることにより、前記エネルギー貯蔵電源（２）が前記ポータブル電源（３）に電気的に接続されることを特徴とする、請求項１に記載の多機能エネルギー貯蔵電源ボックス。
【請求項９】
前記係止構造（４）は、前記ポータブル電源（３）に設けられる係止バックル（４１）及び前記収納室（１１）に設けられる係止口（４２）を含み、前記ポータブル電源（３）が前記収納室（１１）内に取り外し可能に設けられる場合、前記係止バックル（４１）が前記係止口（４２）に接続され、かつ前記係止バックル（４１）が前記係止口（４２）内に押し付けられることを特徴とする、請求項１に記載の多機能エネルギー貯蔵電源ボックス。
【請求項１０】
前記収納室（１１）にガイド斜面（１３）がさらに設けられ、前記係止バックル（４１）が前記ガイド斜面（１３）により前記係止口（４２）に接続されることを特徴とする、請求項９に記載の多機能エネルギー貯蔵電源ボックス。
【考案の詳細な説明】
【技術分野】
【０００１】
本考案は、電源の分野に関し、特に多機能エネルギー貯蔵電源ボックスに関する。
【背景技術】
【０００２】
携帯端末装置の機能が益々複雑・高度になっており、消費者が携帯端末装置を使用してビデオを見たり、ゲームをプレイしたり、チャットしたりすることができるが、携帯端末装置の機能の増加につれて、携帯端末の消費電力量が急激に上昇するようになるため、エネルギー貯蔵電源が携帯端末装置を充電できる装置として、人々に注目されている。しかし、現在市販されているエネルギー貯蔵電源は、体積が大きく、ユーザが楽に外出したいという要求を満たすことができず、また、機能が単一であり、携帯端末装置の充電にのみ用いられ、他の装置に用いることができず、例えば、自動車の点火に用いることができず、ユーザの異なるシーンでの実際の使用上の要求を満たすには程遠い。したがって、市場では、ユーザの異なるシーンでの実際の使用上の要求を満たす多機能エネルギー貯蔵電源ボックスの実用化が急務となっている。
【考案の概要】
【考案が解決しようとする課題】
【０００３】
従来の欠点を解消するために、本考案は、ユーザの異なるシーンでの実際の使用上の要求を満たすことができる多機能エネルギー貯蔵電源ボックスを提供することを、その目的とする。
【課題を解決するための手段】
【０００４】
本考案がその技術的課題を解決するために採用する技術手段は、以下のとおりである。
本考案は、エネルギー貯蔵ボックス、エネルギー貯蔵電源、ポータブル電源及び係止構造を含み、前記ポータブル電源を収納するための収納室が設けられる前記エネルギー貯蔵ボックス内に前記エネルギー貯蔵電源が設けられ、前記ポータブル電源が前記収納室に収納される場合、前記係止構造が前記ポータブル電源を前記収納室内に係止し、かつ前記ポータブル電源が前記エネルギー貯蔵電源に電気的に接続されて、前記エネルギー貯蔵電源に前記ポータブル電源を充電させる多機能エネルギー貯蔵電源ボックスである。
【０００５】
本考案の一態様として、前記ポータブル電源には、自動車の点火に用いられる電源出力端子がさらに設けられている。
本考案の一態様として、前記ポータブル電源には、ＵＳＢインタフェースコネクタがさらに設けられている。
本考案の一態様として、前記ポータブル電源には、Ｔｙｐｅ  Ｃインタフェースコネクタがさらに設けられている。
本考案の一態様として、前記収納室に第１のストッパ縁が設けられ、前記ポータブル電源に第２のストッパ縁が設けられ、前記ポータブル電源が前記収納室内に取り外し可能に設けられる場合、前記第１のストッパ縁が前記第２のストッパ縁に当接することにより、前記第１のストッパ縁が前記第２のストッパ縁を前記収納室内に止める。
本考案の一態様として、前記収納室に凹溝が設けられ、前記ポータブル電源にバンプが設けられ、前記ポータブル電源が前記収納室内に取り外し可能に設けられる場合、前記バンプが前記凹溝内に収納され得る。
本考案の一態様として、前記第１のストッパ縁が前記凹溝に設けられ、前記第２のストッパ縁が前記バンプに設けられ、前記バンプが前記凹溝内に収納される場合、前記第１のストッパ縁が前記第２のストッパ縁を前記収納室内に止める。
本考案の一態様として、前記エネルギー貯蔵電源に電源出力用バネ片が設けられ、前記ポータブル電源に電源入力用バネ片が設けられ、前記ポータブル電源が前記収納室内に取り外し可能に設けられ、かつ前記係止構造が前記ポータブル電源を前記収納室内に係止解除可能に係止する場合、前記電源出力用バネ片が前記電源入力用バネ片に電気的に接続されることにより、前記エネルギー貯蔵電源が前記ポータブル電源に電気的に接続される。
本考案の一態様として、前記係止構造は、前記ポータブル電源に設けられる係止バックル及び前記収納室に設けられる係止口を含み、前記ポータブル電源が前記収納室内に取り外し可能に設けられる場合、前記係止バックルが前記係止口に接続され、かつ前記係止バックルが前記係止口内に押し付けられる。
本考案の一態様として、前記収納室にガイド斜面がさらに設けられ、前記係止バックルが前記ガイド斜面により前記係止口に接続される。
【考案の効果】
【０００６】
本考案の有益な効果は以下のとおりである：上記構造により、エネルギー貯蔵ボックス、エネルギー貯蔵電源、ポータブル電源及び係止構造を含み、ポータブル電源を収納するための収納室が設けられるエネルギー貯蔵ボックス内にエネルギー貯蔵電源が設けられ、ポータブル電源が収納室に収納される場合、係止構造がポータブル電源を収納室内に係止し、かつポータブル電源がエネルギー貯蔵電源に電気的に接続されて、エネルギー貯蔵電源にポータブル電源を充電させるため、ユーザが在宅中に、エネルギー貯蔵電源ボックスのエネルギー貯蔵電源を使用して携帯端末装置を充電し、かつ係止構造を使用してポータブル電源を収納室内に係止して、エネルギー貯蔵電源にポータブル電源を充電させることができ、ユーザの外出時にエネルギー貯蔵電源ボックスの携帯に不便である場合、ユーザは、係止構造による係止を解除して、収納室からポータブル電源を取り出し、かつポータブル電源を使用して携帯端末装置を充電することができ、設計が合理的であり、ユーザが携帯しやすく、ユーザの異なるシーンでの使用上の要求を満たすことができる。
【図面の簡単な説明】
【０００７】
【図１】本考案の構造全体の概略図である。
【図２】本考案の分解図である。
【図３】係止構造に沿って切断した断面図である。
【図４】図３のＡ部の拡大図である。
【図５】バンプ及び凹溝に沿って切断した断面図である。
【図６】図５のＢ部の拡大図である。
【図７】電源出力用バネ片及び電源入力用バネ片に沿って切断した断面図である。
【図８】ポータブル電源の構造概略図である。
【図９】ポータブル電源の別の構造概略図である。
【図１０】ポータブル電源がエネルギー貯蔵電源に電気的に接続される場合の回路概略図である。
【図１１】ポータブル電源が使用状態にある場合の回路概略図である。
【考案を実施するための形態】
【０００８】
以下、図面及び実施例を参照しながら、本考案をさらに説明する。
図１〜図１１を参照すると、多機能エネルギー貯蔵電源ボックスは、エネルギー貯蔵ボックス１、エネルギー貯蔵電源２、ポータブル電源３及び係止構造４を含み、ポータブル電源３を収納するための収納室１１が設けられるエネルギー貯蔵ボックス１内にエネルギー貯蔵電源２が設けられ、ポータブル電源３が収納室１１に収納される場合、係止構造４がポータブル電源３を収納室１１内に係止し、かつポータブル電源３がエネルギー貯蔵電源２に電気的に接続されて、エネルギー貯蔵電源２によりポータブル電源３が充電される。
【０００９】
上記構造により、エネルギー貯蔵ボックス１、エネルギー貯蔵電源２、ポータブル電源３及び係止構造４を含み、ポータブル電源３を収納するための収納室１１が設けられるエネルギー貯蔵ボックス１内にエネルギー貯蔵電源２が設けられ、ポータブル電源３が収納室１１に収納される場合、係止構造４がポータブル電源３を収納室１１内に係止し、かつポータブル電源３がエネルギー貯蔵電源２に電気的に接続されて、エネルギー貯蔵電源２によりポータブル電源３を充電させるため、ユーザが在宅中に、エネルギー貯蔵電源ボックス１のエネルギー貯蔵電源２を使用して携帯端末装置を充電し、かつ係止構造４を使用してポータブル電源３を収納室１１内に係止して、エネルギー貯蔵電源２にポータブル電源３を充電させることができ、ユーザの外出時にエネルギー貯蔵電源ボックス１の携帯に不便である場合、ユーザは、係止構造４による係止を解除して、収納室１１からポータブル電源３を取り出し、かつポータブル電源３を使用して携帯端末装置を充電することができ、設計が合理的であり、ユーザが携帯しやすく、ユーザの異なるシーンでの使用上の要求を満たすことができる。
【００１０】
エネルギー貯蔵電源２及びポータブル電源３は、いずれもリチウム電池であり、他のタイプの電源であってもよく、本実施例においてリチウム電池を選択し、効果を最適にする。
本実施例において、ポータブル電源３には、自動車の点火に用いられる電源出力端子３１がさらに設けられている。
ポータブル電源３には、ＵＳＢインタフェースコネクタ３２がさらに設けられている。
具体的には、ポータブル電源３には、Ｔｙｐｅ  Ｃインタフェースコネクタ３３がさらに設けられている。上記構造により、ユーザの外出時にエネルギー貯蔵電源ボックス１の携帯に不便である場合、ユーザは、係止構造４による係止を解除して、収納室１１からポータブル電源３を取り出し、ポータブル電源３上のＵＳＢインタフェースコネクタ３２によりコンピュータなどの携帯端末装置を充電し、Ｔｙｐｅ  Ｃインタフェースコネクタ３３により携帯電話などの携帯端末装置を充電することができる。また、ポータブル電源３に自動車の点火に用いられる電源出力端子３１がさらに設けられているため、ユーザは、ポータブル電源３の電源出力端子３１により自動車を点火でき、外出時にポータブル電源３を容易に携帯するだけでなく、携帯端末を充電し、自動車を点火する機能を有し、設計が合理的であり、ユーザの異なる使用シーンでの実際の使用上の要求を満たすことができ、ユーザ体験を大幅に向上させる。
【００１１】
本実施例において、収納室１１に第１のストッパ縁１１１が設けられ、ポータブル電源３に第２のストッパ縁３４が設けられ、ポータブル電源３が収納室１１内に取り外し可能に設けられる場合、第１のストッパ縁１１１が第２のストッパ縁３４に当接することにより、第１のストッパ縁１１１が第２のストッパ縁３４を収納室１１内に止める。上記構造により、第１のストッパ縁１１１で第２のストッパ縁３４を収納室１１内に止め、設計が合理的であり、接続が堅固であり、ポータブル電源３が収納室から脱落することを効果的に防止することができる。
【００１２】
収納室に凹溝１２が設けられ、ポータブル電源３にバンプ３５が設けられ、ポータブル電源３が収納室１１内に取り外し可能に設けられる場合、バンプ３５が凹溝１２内に収納され得る。
具体的には、第１のストッパ縁１１１が凹溝１２に設けられ、第２のストッパ縁３４がバンプ３５に設けられ、バンプ３５が凹溝１２内に収納される場合、第１のストッパ縁１１１が第２のストッパ縁３４を収納室１１内に止める。上記構造により、バンプと凹溝との間の嵌合により、ユーザがポータブル電源３を迅速で正確に取り付けるだけでなく、ポータブル電源３の位置がずれることを効果的に防止することができる。
【００１３】
本実施例において、エネルギー貯蔵電源２に電源出力用バネ片２１が設けられ、ポータブル電源３に電源入力用バネ片３６が設けられ、ポータブル電源３が収納室１１内に取り外し可能に設けられ、かつ係止構造４がポータブル電源３を収納室１１内に係止解除可能に係止する場合、電源出力用バネ片２１が電源入力用バネ片３６に電気的に接続されることにより、エネルギー貯蔵電源２がポータブル電源３に電気的に接続される。上記構造により、設計が合理的であり、電源入力用バネ片３６と電源出力用バネ片２１との間の緊密な接合により、エネルギー貯蔵電源２とポータブル電源３との間の電気的な接続を効果的に実現する。
【００１４】
本実施例において、係止構造４は、ポータブル電源３に設けられる係止バックル４１及び収納室１１に設けられる係止口４２を含み、ポータブル電源３が収納室１１内に取り外し可能に設けられる場合、係止バックル４１が係止口４２に接続され、かつ係止バックル４１が係止口４２内に押し付けられる。上記構造により、係止バックル４１が圧縮された場合に発生する弾性復元力によって係止バックル４１と係止口４２とを緊密に接続して、ポータブル電源３を収納室１１内に係止することができ、ユーザがポータブル電源３を単独に使用する必要がある際に収納室１１からポータブル電源３を取り出す場合、係止バックル４１に係止バックル４１の弾性復元力より大きい力を印加することにより、係止バックル４１と係止口４２との間の接続を容易に解除して、係止解除動作を完了することができ、ユーザが収納室１１からポータブル電源３を取り出すことを容易にする。
【００１５】
収納室１１にガイド斜面１３がさらに設けられ、係止バックル４１がガイド斜面１３により係止口４２に接続される。上記構造により、係止バックル４１と係止口４２とを接続する必要がある場合、ユーザは、ポータブル電源３を収納室１１の方向に押し込めばよく、ポータブル電源３に設けられた係止バックル４１がポータブル電源３の移動に伴って収納室１１の係止口４２へ移動し、係止バックル４１がガイド斜面１３を通過する場合、ユーザが印加した押し込み力が係止バックル４１を介してガイド斜面１３に付勢して、ガイド斜面１３に係止バックル４１を圧縮する反力が発生して、係止バックル４１を圧縮することにより係止バックル４１が係止口４２にスムーズに入って係止口４２に接続され、かつ、係止バックル４１が係止口４２に入った後、係止バックル４１が圧縮された場合に発生した弾性復元力により、係止バックル４１と係止口４２との間の接続がより緊密になる。
【００１６】
本実施例において、エネルギー貯蔵ボックス１に第２のＵＳＢインタフェースコネクタ１４、第２のＴｙｐｅ  Ｃインタフェースコネクタ１５及び第２の電源出力端子１６がさらに設けられ、第２のＵＳＢインタフェースコネクタ１４、第２のＴｙｐｅ  Ｃインタフェースコネクタ１５及び第２の電源出力端１６は、いずれもエネルギー貯蔵電源２に電気的に接続され、ファン、ヘアードライヤーなどのハイパワー家電は、第２の電源出力端子１６に電気的に接続して使用することができる。上記構造により、ユーザが在宅中にエネルギー貯蔵電源２を使用する場合、第２のＵＳＢインタフェースコネクタ１４及び第２のＴｙｐｅ  Ｃインタフェースコネクタ１５により携帯電話、コンピュータなどの携帯端末装置を充電し、かつユーザがハイパワー電気器具を使用する必要がある場合、電気器具をエネルギー貯蔵電源の第２の電源出力端子１６に電気的に接続することにより、ユーザの異なるシーンでの実際の使用上の要求を満たし、ユーザ体験を向上させることができる。
【００１７】
本実施例において、エネルギー貯蔵電源２とポータブル電源３との間に仕切板１７が設けられている。上記構造により、仕切板１７は、エネルギー貯蔵電源２とポータブル電源３を仕切って、エネルギー貯蔵電源２が動作時に発生した熱量がポータブル電源３に伝達することを効果的に防止してもよく、ポータブル電源３が動作時に発生した熱量がエネルギー貯蔵電源２に伝達することを効果的に防止してもよく、エネルギー貯蔵電源２及びポータブル電源３の安定性及び安全性を大幅に向上させる。さらに、仕切板１７がエネルギー貯蔵電源２とポータブル電源３を仕切るため、ユーザが収納室１１からポータブル電源３を取り出して使用する場合、ユーザがエネルギー貯蔵電源２に触れることを防止でき、エネルギー貯蔵電源２の安全性をさらに向上させることができる。
【００１８】
以上の記載は、具体的な内容を組み合わせて提供される１つ以上の実施形態であり、本考案の具体的な実施形態は、これらの説明に限定されるものであると認められない。本考案の方法、構成などと近似し、同等であるか、又は本考案の構想で行われたいくつかの技術推定又は置換は、いずれも本考案の保護範囲に属するものと見なされるべきである。
【符号の説明】
【００１９】
１  エネルギー貯蔵ボックス
２  エネルギー貯蔵電源
３  ポータブル電源
４  係止構造
１１  収納室
【図１】
0003233513.tif 000003
【図２】
0003233513.tif 000004
【図３】
0003233513.tif 000005
【図４】
0003233513.tif 000006
【図５】
0003233513.tif 000007
【図６】
0003233513.tif 000008
【図７】
0003233513.tif 000009
【図８】
0003233513.tif 000010
【図９】
0003233513.tif 000011
【図１０】
0003233513.tif 000012
【図１１】
0003233513.tif 000013